(57)【要約】      （修正有）【課題】仏具としての鈴の用途を担うことが可能な、洋風化された鈴を提供する。【解決手段】架台５と、架台上に載置される玉４と、架台から湾曲して上方に伸びる腕部２と、上部に設けた取付金具７により腕部で支持されると共に、下部に設けた開口部３ａが架台上に位置し、玉が架台と開口部で囲まれた空間から外部に脱出出来ない形状を有するベル椀３とにより構成した。架台内部に磁石６を埋設すると共に、玉を磁性材料で形成するのが好ましい。【選択図】図３
0003189445.tif 000002
【実用新案登録請求の範囲】
【請求項１】
架台（５）と、架台（５）上に載置される玉（４）と、架台（５）から湾曲して上方に伸びる腕部（２）と、腕部（２）で支持されると共に、下部に設けた開口部（３ａ）が架台（５）上に位置し、玉（４）が架台（５）とベル椀（３）で囲まれた空間から外部に脱出出来ない形状に設けたベル椀（３）と、により成る鈴（１）。
【請求項２】
架台（５）内部に磁石（６）を埋設すると共に、玉（４）を磁性材料で形成した請求項１に記載の鈴（１）。
【考案の詳細な説明】
【技術分野】
【０００１】
本考案は、仏具の一つである鈴（りん）に関する。
【背景技術】
【０００２】
仏壇にお参りする際に、鈴を撞木で打ち鳴らすことが行われる。その意味合いは、邪気を払い、澄みとおる音でその場を清浄するためなどである。
【０００３】
一般的に鈴は、鈴台と呼ばれる台の上に、鈴布団と呼ばれる中敷を置き、その上に乗せて用いる。鈴の形状は、一般的に鉢状、もしくは壷状である。
【０００４】
仏具としての鈴に関する先行特許文献として、外周面に般若心経の文字が刻設された鈴が特許文献１に開示されている。
【０００５】
特許文献２にはベル鋺とベル鋺外周上部に設けたハンドルと、ベル鋺内周上部から垂設されるバネ部材と、バネ部材下端に取り付けられその下端がベル鋺下端より下方にくるハンマー部材とにより成る鈴が開示されている。
【先行技術文献】
【特許文献】
【０００６】
【特許文献１】登録実用新案公報第３０１５８８１号
【特許文献２】登録実用新案公報第３１８３２１５号
【考案の概要】
【考案が解決しようとする課題】
【０００７】
生活スタイルの洋風化に伴い、仏間を有する家屋は少なくなっている。係る現状に伴い、仏壇も洋風化されリビングに設置されることが多くなっている。
【０００８】
係る洋風化された仏壇の場合、備え付けの仏具も洋風化が求められる。そこで本考案は仏具としての鈴の用途を担うことが可能な、洋風化された鈴を提供することを目的とする。更には、本考案は撞木による叩打によらずとも音を発することが可能であり、しかも床面に置いても澄みとおった音が響き続ける鈴を提供することを目的とする。
【課題を解決するための手段】
【０００９】
上記の目的を達成する本考案の構成は次の通りである。
【００１０】
（１）  請求項１に記載の考案は、架台と、架台上に載置される玉と、架台から湾曲して上方に伸びる腕部と、腕部で支持されると共に、下部に設けた開口部が架台上に位置し、玉が架台とベル椀で囲まれた空間から外部に脱出出来ない形状に設けたベル椀とにより構成した。
【００１１】
（２）  請求項２に記載の考案は、請求項１記載の鈴において、架台内部に磁石を埋設すると共に、玉を磁性材料で形成して構成した。
【考案の効果】
【００１２】
上記のように構成される本考案が、如何に作用して課題を解決するかを図面を参照しながら概説する。
【００１３】
本考案に係る鈴１は従来例のように鉢状もしくは壷状ではなく、図1に示すように外見がベル状であるため、リビング等に設置されることが前提とされる洋風仏壇に装備しても違和感がない鈴の提供が可能となる。
【００１４】
また、本考案は腕部２を握ってベル鋺３を振れば、玉４がベル椀３内部に衝突して音が鳴るため、撞木が不要となる。
【００１５】
かように撞木による叩打が不要であることから、つまり撞木による叩打による塗装の剥離がないことから、ベル椀３外周を自由に塗装することが可能であり、装飾性に富む鈴の提供が可能となるものである。
【００１６】
請求項２記載の鈴においては、図３に示すように、架台５に磁石６が埋設されるとともに、ベル鋺３と衝突して音を鳴らす玉４が磁性体材料で形成されていることから、玉４が不要にベル鋺３に衝突して多数回音がなってしまうことを抑制できる。つまり、腕部２を持って鈴１を振った際、架台５上で磁石により固定されている玉４が、架台５から離れベル椀３に衝突して音が鳴るが、重力で架台５上に落下した玉４は再び磁石６により架台５に固定されるため、それ以上の回数でベル椀３に衝突して音が鳴ることがない。
【００１７】
一般的に仏壇を参拝する際には、宗派によって異なるが、鈴は１回乃至３回程度鳴らすことが参拝法に準じることになり、鈴を不要な回数鳴らしてしまうことは係る参拝法に悖ることになる。本考案によれば、上記のように腕部を振っても、殊更強く振らない限り一度しか玉がベル椀に衝突しない。つまり、本考案によれば、仏壇の参拝法に適した鈴の提供が可能となるのである。
【００１８】
また、ベル鋺３が腕部２により吊り下げられていることから、鈴１を床面に置いた際に、ベル鋺３が床面に接しないことになる。それゆえ、鈴１を鳴らして音が響いている状態で、鈴１を床においても響きが止まらず、澄みとおった音が響き続けることになるのである。
【図面の簡単な説明】
【００１９】
【図１】本考案の正面図
【図２】同、平面図
【図３】図１におけるＡ−Ａ線断面図
【図４】他の実施例を示す断面図
【考案を実施するための形態】
【００２０】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２１】
本考案に係る鈴１は、腕部２、ベル鋺３、玉４、架台５及び磁石６より成るものである。
【００２２】
架台５は鈴１全体を支持するために十分な重量を有する円盤状体或るいは板状体であり、金属材料で形成することが好ましい。請求項２記載の考案においては、架台５内に磁石６が埋設されるものである。
【００２３】
腕部２は架台５に取付けられ、架台５から湾曲して上方に伸びる板状体或るいは棒状体である。腕部２は架台５と別個に設け、架台５に溶接してもよいし、架台５と一体に設けても構わない。
【００２４】
ベル鋺３は図１、図２に示すようにお椀形状を呈しているが、むろん係る限定を受けるものではなく、鉢状、壷状、末広がりのベル状等も採用できる。
【００２５】
図３や図４に示すようにベル椀３は腕部２に取付金具７により吊り下げられて支持されるものである。むろん係る限定を受けるものではなく、図４に示すように腕部２に載置される形状で取付金具７により支持しても構わない。
【００２６】
ベル椀３と架台５の位置関係は、架台５上に載置される玉４が、腕部２を手に持って鈴１を振っても、外部に飛び出さない位相に設ける必要がある。すなわち、ベル椀３の下部開口部３ａと架台５との距離が玉４の直径未満に設けるものである。
【００２７】
ベル鋺３は金属材料で形成される。ベル椀３の外周面を塗装したり、或るいは図柄をプリントすれば、より装飾性に富むものとなる。
【００２８】
玉４は任意の金属素材で形成しても構わないが、請求項２記載の考案においてはニッケル、コバルト、鉄その他の磁性材料で形成する必要がある。
【００２９】
図４は他の実施例を示すものである。上述の通りベル椀３は腕部２に載置される形状で取付金具７により支持されるものである。
【符号の説明】
【００３０】
１・・鈴
２・・腕部
３・・ベル椀
３ａ・・開口部
４・・玉
５・・架台
６・・磁石
７・・取付金具
【図１】
0003189445.tif 000003
【図２】
0003189445.tif 000004
【図３】
0003189445.tif 000005
【図４】
0003189445.tif 000006